(57)【特許請求の範囲】
【請求項１】
無線ＬＡＮ通信を行う無線部と、
前記無線部が行う無線ＬＡＮ通信の着信待ち受けのあるアプリケーションを含む、前記無線部が行う無線ＬＡＮ通信を使用するアプリケーションを実行するアプリケーション部と、
各部に電力を供給する電源部と、
前記無線ＬＡＮ通信の着信待ち受けのあるアプリケーションを使用する設定がなされているか否かを判断し、前記設定がなされていると判断した場合は前記無線部に電力を供給するよう前記電源部を制御し、前記設定がなされていないと判断した場合は無線ＬＡＮ通信の使用の有無をさらに判断し、使用有りと判断したときは前記無線部に電力を供給するよう前記電源部を制御し、使用無しと判断したときは前記無線部に電力を供給しないよう前記電源部を制御する無線電源制御部と、
前記アプリケーション部が出力する画像または文字を表示する表示部と、
ユーザの操作を受ける操作部と、
前記操作部へのユーザ操作の入力状況に応じて前記電源部による前記表示部への電力の供給を制御する表示電源制御部と、
を具備し、
前記無線ＬＡＮ通信の着信待ち受けのあるアプリケーションは前記無線ＬＡＮ通信を用いて電話通信を行うアプリケーションであり、前記無線ＬＡＮ通信の着信待ち受けのあるアプリケーションを使用する設定はＳＩＰの設定であり、
前記無線電源制御部は、前記電源部が前記表示部へ電力を供給するときは前記無線ＬＡＮ通信の使用有りと判断し、前記電源部が前記表示部へ電力を供給しないときは前記無線ＬＡＮ通信の使用無しと判断する、
ことを特徴とする端末装置。
【請求項２】
無線ＬＡＮ通信を行う無線部と、
各部に電力を供給する電源部と、
アプリケーション実行ステップにて出力される画像または文字を表示する表示部と、
ユーザの操作を受ける操作部と、
を具備する端末装置の電力供給制御方法であって、
前記無線部が行なう無線ＬＡＮ通信の着信待ち受けのあるアプリケーションを含む、前記無線部が行う無線ＬＡＮ通信を使用するアプリケーションを実行するアプリケーション実行ステップと、
前記無線ＬＡＮ通信の着信待ち受けのあるアプリケーションを使用する設定がなされているか否かを判断し、前記設定がなされていると判断した場合は前記無線部に電力を供給するよう前記電源部を制御し、前記設定がなされていないと判断した場合は無線ＬＡＮ通信の使用の有無をさらに判断し、使用有りと判断したときは前記無線部に電力を供給するよう前記電源部を制御し、使用無しと判断したときは前記無線部に電力を供給しないよう前記電源部を制御する無線電源制御ステップと、
前記操作部へのユーザ操作の入力状況に応じて前記電源部による前記表示部への電力の供給を制御する表示電源制御ステップと、
を具備し、
前記無線ＬＡＮ通信の着信待ち受けのあるアプリケーションは前記無線ＬＡＮ通信を用いて電話通信を行うアプリケーションであり、前記無線ＬＡＮ通信の着信待ち受けのあるアプリケーションを使用する設定はＳＩＰの設定であり、
前記無線電源制御ステップは、前記電源部が前記表示部へ電力を供給するときは前記無線ＬＡＮ通信の使用有りと判断し、前記電源部が前記表示部へ電力を供給しないときは前記無線ＬＡＮ通信の使用無しと判断する、
ことを特徴とする電力供給制御方法。
【発明の詳細な説明】
【技術分野】
【０００１】
本発明は無線ＬＡＮ通信の着信待ち受けがあるアプリケーション機能を有する端末装置および当該端末装置の電力供給制御方法に関する。
【背景技術】
【０００２】
無線ＬＡＮ（local Area Network；ローカルエリアネットワーク）の普及に伴い、無線ＬＡＮ対応の携帯電話装置など、無線ＬＡＮ通信機能を備え、さらには、無線ＬＡＮ通信を用いた電話機能など、無線ＬＡＮ通信の着信待ち受けのあるアプリケーション機能を備える端末装置が登場している。
【発明の概要】
【発明が解決しようとする課題】
【０００３】
ここで、端末装置の電力消費を抑制するためには、無線ＬＡＮ通信を行わないときは、無線ＬＡＮ通信を行う無線部への電力供給を停止することが望ましい。しかし、無線ＬＡＮ通信の着信待ち受けのあるアプリケーション機能を備える携帯端末装置では、着信を待ち受けるために無線部に電力を常時供給しており、その電力消費を抑制できていないという問題があった。
【０００４】
本発明は、このような事情を考慮してなされたものであり、その目的は、無線ＬＡＮ通信の着信待ち受けのあるアプリケーション機能を備える端末装置であって、無線部への電力供給を制御できる端末装置および電力供給制御方法を提供することにある。
【課題を解決するための手段】
【０００５】
［１］この発明は上述した課題を解決するためになされたもので、本発明の一態様による端末装置は、無線ＬＡＮ通信を行う無線部と、前記無線部が行う無線ＬＡＮ通信の着信待ち受けのあるアプリケーションを含む、前記無線部が行う無線ＬＡＮ通信を使用するアプリケーションを実行するアプリケーション部と、各部に電力を供給する電源部と、前記無線ＬＡＮ通信の着信待ち受けのあるアプリケーションを使用する設定がなされているか否かを判断し、前記設定がなされていると判断した場合は前記無線部に電力を供給するよう前記電源部を制御し、前記設定がなされていないと判断した場合は無線ＬＡＮ通信の使用の有無をさらに判断し、使用有りと判断したときは前記無線部に電力を供給するよう前記電源部を制御し、使用無しと判断したときは前記無線部に電力を供給しないよう前記電源部を制御する無線電源制御部と、前記アプリケーション部が出力する画像または文字を表示する表示部と、ユーザの操作を受ける操作部と、前記操作部へのユーザ操作の入力状況に応じて前記電源部による前記表示部への電力の供給を制御する表示電源制御部と、を具備し、前記無線ＬＡＮ通信の着信待ち受けのあるアプリケーションは前記無線ＬＡＮ通信を用いて電話通信を行うアプリケーションであり、前記無線ＬＡＮ通信の着信待ち受けのあるアプリケーションを使用する設定はＳＩＰの設定であり、前記無線電源制御部は、前記電源部が前記表示部へ電力を供給するときは前記無線ＬＡＮ通信の使用有りと判断し、前記電源部が前記表示部へ電力を供給しないときは前記無線ＬＡＮ通信の使用無しと判断する、ことを特徴とする。
【００１０】
［２］また、本発明の一態様による電力供給制御方法は、無線ＬＡＮ通信を行う無線部と、各部に電力を供給する電源部と、アプリケーション実行ステップにて出力される画像または文字を表示する表示部と、ユーザの操作を受ける操作部と、を具備する端末装置の電力供給制御方法であって、前記無線部が行なう無線ＬＡＮ通信の着信待ち受けのあるアプリケーションを含む、前記無線部が行う無線ＬＡＮ通信を使用するアプリケーションを実行するアプリケーション実行ステップと、前記無線ＬＡＮ通信の着信待ち受けのあるアプリケーションを使用する設定がなされているか否かを判断し、前記設定がなされていると判断した場合は前記無線部に電力を供給するよう前記電源部を制御し、前記設定がなされていないと判断した場合は無線ＬＡＮ通信の使用の有無をさらに判断し、使用有りと判断したときは前記無線部に電力を供給するよう前記電源部を制御し、使用無しと判断したときは前記無線部に電力を供給しないよう前記電源部を制御する無線電源制御ステップと、前記操作部へのユーザ操作の入力状況に応じて前記電源部による前記表示部への電力の供給を制御する表示電源制御ステップと、を具備し、前記無線ＬＡＮ通信の着信待ち受けのあるアプリケーションは前記無線ＬＡＮ通信を用いて電話通信を行うアプリケーションであり、前記無線ＬＡＮ通信の着信待ち受けのあるアプリケーションを使用する設定はＳＩＰの設定であり、前記無線電源制御ステップは、前記電源部が前記表示部へ電力を供給するときは前記無線ＬＡＮ通信の使用有りと判断し、前記電源部が前記表示部へ電力を供給しないときは前記無線ＬＡＮ通信の使用無しと判断する、ことを特徴とする。
【発明の効果】
【００１５】
本発明によれば、無線ＬＡＮ通信の着信待ち受けのあるアプリケーション機能を備える端末装置の無線ＬＡＮ通信機能部への電力供給を制御できる。
【図面の簡単な説明】
【００１６】
【図１】本発明の一実施形態における無線ＬＡＮシステムの概略構成を示す構成図である。
【図２】同実施形態における携帯端末装置１０の機能構成を示すブロック構成図である。
【図３】同実施形態における携帯端末装置１０の外形図である。
【図４】同実施形態における無線ＬＡＮ通信を用いて電話通信を行う設定を含む無線ＬＡＮ設定データの例を示す図である。
【図５】同実施形態における接続先設定の例を示す図である。
【図６】同実施形態において、無線電源制御部１０３が電源部１８０から無線部１１０への電力供給を制御する処理手順を示すフローチャートである。
【図７】同実施形態において、携帯端末装置１０がアクセスポイント装置２０との通信を行う動作例を示すシーケンスである。
【発明を実施するための形態】
【００１７】
以下、図面を参照して、本発明の一実施形態について説明する。
以下では、本発明を適用した携帯端末装置を例に説明するが、本発明の適用範囲は携帯端末装置に限らず、無線ＬＡＮの端末装置に適用することができる。また、以下では、端末装置が、無線ＬＡＮ通信の待ち受けのあるアプリケーション機能として、無線ＬＡＮ通信を用いた電話通信機能を備える場合について説明するが、チャット機能、あるいは、リアルタイムでニュースまたはメール等を受信する機能等、他のアプリケーション機能を備えていてもよい。
図１は、本発明の一実施形態における無線ＬＡＮシステムの概略構成を示す構成図である。
同図において、無線ＬＡＮシステム１は、携帯端末装置（端末装置）１０と、端末装置１１と、アクセスポイント装置２０とを具備する。また、アクセスポイント装置２０はインターネット（Internet）３０に接続している。
アクセスポイント装置２０は、無線ＬＡＮのアクセスポイントであり、携帯端末装置１０と端末装置１１との間の通信や、携帯端末装置１０または端末装置１１によるインターネット３０への接続を中継する。
携帯端末装置１０および端末装置１１は、無線ＬＡＮに接続する端末装置であり、アクセスポイント装置２０との間で無線通信を行う。
なお、無線ＬＡＮシステム１は、他の携帯端末装置や端末装置やアクセスポイント装置を具備していてもよい。あるいは、無線ＬＡＮシステム１は、端末装置１１を具備していなくてもよい。また、アクセスポイント装置２０は、インターネット３０に接続していなくてもよい。
【００１８】
図２は、携帯端末装置１０の機能構成を示すブロック構成図である。
同図において、携帯端末装置１０は、制御部１００と、無線部１１０と、表示部１２０と、操作部１３０と、音声処理部１４０と、マイク１５０と、スピーカ１６０と、記憶部１７０と、電源部１８０とを具備する。制御部１００は、無線制御部１０１と、アプリケーション部１０２と、無線電源制御部１０３と、表示電源制御部１０４とを具備する。
無線部１１０は、無線ＬＡＮ通信を行う。具体的には、無線部１１０は、無線制御部１０１から出力される送信信号を送信周波数の信号に変調し、変調した信号を増幅してアンテナを介してアクセスポイント装置２０に送信する。また、無線部１１０は、アンテナを介してアクセスポイント装置２０から受信する受信信号を増幅し、ベースバンドの信号に復調して無線制御部１０１に出力する。
【００１９】
表示部１２０は、例えば液晶ディスプレイであり、アプリケーション部１０２から出力される文字や画像を表示することによりユーザに対して各種情報を通知する。また、後述するように、表示部１２０への電力供給は表示電源制御部１０４によって制御される。表示部１２０への電力供給が停止されると、表示部１２０は表示オフ状態となる。
操作部１３０は、０〜９の数字キーや、上下左右の方向キーや、決定キーなどのキーボタンを有し、ユーザのキーボタン操作を受けると、操作されたキーボタンに応じた操作信号をアプリケーション部１０２に出力する。
マイク１５０は、周囲音を採取してアナログの電気信号に変換し、変換した電気信号を音声処理部１４０に出力する。スピーカ１６０は、音声処理部１４０から電気信号が出力されると、出力された電気信号を音声に変換する。音声処理部１４０は、マイク１５０から出力されるアナログの電気信号をデジタル化してアプリケーション部１０２に出力する。また、音声処理部１４０は、アプリケーション部１０２からデジタルの電気信号にて出力される音声信号をアナログ化してスピーカ１６０に出力する。
【００２０】
記憶部１７０は制御部１００の各部を実行するプログラムを記憶する。また、記憶部１７０は、制御部１００が動作する際の一時的記憶領域として、制御部１００から出力される情報を記憶する。また、記憶部１７０はまた、記憶部１７０は無線設定を記憶する。無線設定の具体的内容については後述する。さらには、記憶部１７０は、アプリケーション部１０２が使用する音声データや画像データなどの各種データを記憶する。
電源部１８０は、各部に電力を供給する。その際、電源部１８０は、無線電源制御部１０３の制御に従って無線部１１０に電力を供給し、あるいは、電力の供給を停止する。また、電源部１８０は、表示電源制御部１０４の制御に従って表示部１２０に電力を供給し、あるいは、電力の供給を停止する。
【００２１】
制御部１００は、各部の制御を行う。制御部１００は、記憶部１７０が記憶するプログラムをＣＰＵ（Central Processing Unit；中央演算装置）が読み込んで実行することによって実現される。
制御部１００において無線制御部１０１は、携帯端末装置１０の無線通信をＩＥＥＥ（Institute of Electrical and Electronics Engineers）８０２．１１に規定される無線ＬＡＮ規格に従って制御し、各種通信処理を行う。具体的には、無線制御部１０１は、無線部１１０から入力されるベースバンドの信号を復調してデジタルの受信データを生成し、生成した受信データをアプリケーション部１０２に出力する。また、無線制御部１０１はアプリケーション部１０２から出力されるデジタルの送信データを変調してアナログのベースバンド信号を生成し、生成したベースバンド信号を無線部１１０に出力する。
【００２２】
アプリケーション部１０２は、操作部１３０から出力される操作信号に応じてアプリケーションを起動する。アプリケーション部１０２が起動するアプリケーションには、無線ＬＡＮを利用するアプリケーション、例えば、インターネット３０から取得するホームページの画面を表示部１２０に表示するアプリケーションと、無線ＬＡＮ通信を用いて電話通信を行うアプリケーションと、通信機能の設定や表示部１２０への表示方法の設定など各種設定を行うアプリケーションとが含まれる。
無線ＬＡＮ通信を用いて電話通信を行うアプリケーションの実行時には、アプリケーション部１０２は、操作部１３０から電話番号と通話要求を示す信号とが入力されると、無線制御部１０１と無線部１１０とアンテナとを介してアクセスポイント装置２０に電話番号と通話要求を示す信号を送信し、アクセスポイント装置２０からの返信に応じて通信処理を行う。また、アクセスポイント装置２０から通話要求があった場合は、アプリケーション部１０２は、表示部１２０に通話要求があったことを示すメッセージを表示し、音声処理部１４０を介してスピーカ１６０から着信音を出力し、操作部１３０からのユーザの操作に応じて着信処理を行う。また、通話中は、アプリケーション部１０２は、マイク１５０が採取し、音声処理部１４０がデジタル化した音声信号を、無線制御部１０１および無線部１１０およびアンテナを介して送信周波数の信号としてアクセスポイント装置２０に出力し、また、アクセスポイント装置２０から受信する信号が無線部１１０および無線制御部１０１を介してデジタルの音声信号として入力されると、音声処理部１４０を介してスピーカ１６０から音声を発する。
【００２３】
無線電源制御部１０３は、無線ＬＡＮ通信を用いて電話通信を行う設定がなされているか否かや無線ＬＡＮ通信の使用の有無に基づいて電源部１８０から無線部１１０への電力の供給を制御する。
表示電源制御部１０４は、携帯端末装置１０の筺体の開閉状況や、操作部１３０へのユーザ操作の入力状況およびアプリケーション部１０２の動作状況に応じて電源部１８０から表示部１２０への電力の供給を制御する。後述するように携帯端末装置１０は筺体が開閉式となっている。表示電源制御部１０４は筺体の開閉を検出し、筺体が閉じられた状態では電源部１８０が表示部１２０に電力を供給しないように制御する。また、筺体が開かれた状態においても、筺体開操作から一定時間が経過し、かつ、一定時間、操作部１３０から入力が行われない場合は、電源部１８０が表示部１２０に電力を供給しないように制御する。
【００２４】
図３は、携帯端末装置１０の外形図である。
同図において、携帯端末装置１０は、第一筺体５１と第二筺体５２とヒンジ部５３とを具備する。第一筺体５１は、前述の操作部１３０とマイク１５０とを具備する。第二筺体５２は、前述の表示部１２０とスピーカ１６０とを具備する。
ヒンジ部５３は、第一筺体５１と第二筺体５２とを開閉自在に連結しており、携帯端末装置１０は、同図（ａ）に示す開状態（第二筺体５２が第一筺体５１に対して開状態）および同図（ｂ）に示す閉状態（第二筺体５２が第一筺体５１に対して閉状態）のように、筺体を開閉することができる。ユーザは、携帯端末装置１０の筺体を閉じた状態で携帯し、携帯端末装置１０の筺体を開状態にして使用することができる。
【００２５】
次に、無線ＬＡＮ通信を用いて電話通信を行う設定について説明する。
図４は、無線ＬＡＮ通信を用いて電話通信を行う設定を含む無線ＬＡＮ設定データの例を示す図である。
同図に示すように、携帯端末装置１０の無線ＬＡＮ設定の設定項目には、複数のプロファイル設定と接続先設定とが含まれる。
プロファイル設定は、使用する無線ＬＡＮ環境に合わせた設定項目をまとめたものである。プロファイル設定には、プロファイル名と無線設定とＩＰ（Internet Protocol）設定とが含まれる。プロファイル名は複数のプロファイルを互いに区別する識別子である。
【００２６】
無線設定には、チャネル設定と出力設定とセキュリティ設定とが含まれる。チャネル設定は、ＩＥＥＥ８０２．１１に規定されるチャネルの設定を示す。図４のプロファイル１の例では、チャネル設定としてチャネル１が設定されている。出力設定は、携帯端末装置１０の送信電力の設定を示す。図４の例では、出力設定は、送信電力を大きく設定する「高」と、送信電力を小さく設定する「低」と、送信電力高と低との中間に設定する「中」との中から、「高」が設定されている。セキュリティ設定には、ＩＥＥＥ８０２．１１の無線ＬＡＮセキュリティ規格であるＷＰＡ（Wi-Fi Protected Access）で用いる暗号が設定されている。
【００２７】
ＩＰ設定には、ＳＩＰ（Session Initiation Protocol）アドレス設定と、ＳＩＰサーバ設定と、認証設定とが含まれる。認証設定には、ＩＤ（Identifier；識別子）とパスワードとが含まれる。携帯端末装置１０は、無線ＬＡＮ通信を用いた電話機能を実現する技術であるＶｏＩＰ（Voice Over IP）を用いており、ＶｏＩＰにおける呼制御の規格としてＳＩＰを用いている。ＩＰ設定では、このＳＩＰの設定がなされている。すなわち、ＳＩＰの設定は、無線ＬＡＮ通信を用いて電話通信を行うアプリケーションの設定である。
ＳＩＰアドレス設定には、携帯端末装置１０のＳＩＰアドレスが設定されている。ＳＩＰサーバ設定には、ＳＩＰサーバのアドレスが設定されている。
認証設定のＩＤとパスワードとは、ＳＩＰサーバが携帯端末装置１０を認証する際に用いるＩＤとパスワードとである。携帯端末装置１０が無線ＬＡＮ通信を用いた電話機能を実行するためには、ＳＩＰアドレス設定とＳＩＰサーバ設定とＩＤとパスワードとのいずれの設定項目も設定されている必要がある。そこで、無線電源制御部１０３は、これらの項目の設定有無で、当該プロファイルにおける無線ＬＡＮ通信を用いた電話機能の使用有無を判断する。無線電源制御部１０３は、ＳＩＰアドレス設定とＳＩＰサーバ設定とＩＤとパスワードとのいずれの設定項目も設定されている場合は、無線ＬＡＮ通信を用いた電話機能を使用するプロファイルと判断し、いずれかの項目が設定されていない場合は、無線ＬＡＮ通信を用いた電話機能を使用しないプロファイルと判断する。なお、ＩＤとパスワードとが任意設定項目の場合は、無線電源制御部１０３は、ＳＩＰアドレス設定とＳＩＰサーバ設定との設定の有無により、当該プロファイルにおける無線ＬＡＮ通信を用いた電話機能の使用有無を判断する。
接続先設定には、携帯端末装置１０がどのプロファイルを使用するかを示す情報が設定されている。
【００２８】
図５は、接続先設定の例を示す図である。携帯端末装置１０が無線ＬＡＮ通信を行うためには、図４のプロファイル設定を設定した後、さらに接続先設定で、プロファイル設定のいずれか１つ以上が接続先に指定されている必要がある。図５（ａ）は、プロファイル１から４まで４つのプロファイルが設定されている例を示している。同図（ａ）のプロファイル３に付された丸印は、図４で説明したＳＩＰアドレス設定とＳＩＰサーバ設定とＩＤとパスワードとのいずれの設定項目も設定されているプロファイルであることを示している。丸印の付されていないプロファイル１、２、４は、これらのＳＩＰ設定が行われていないプロファイルである。
図５（ｂ）の接続先設定例１では、接続先設定でプロファイル１と３と４とが指定されている。この接続先設定例では、ＳＩＰアドレス設定とＳＩＰサーバ設定とＩＤとパスワードとのいずれの設定項目も設定されているプロファイル３が、接続先設定のプロファイルに含まれている。したがって、無線電源制御部１０３は、無線ＬＡＮ通信を用いた電話機能の使用有りと判断する。一方、同図（ｃ）の接続先設定例２では、接続先設定でプロファイル１と２と４とが指定されている。この接続設定例では、ＳＩＰアドレス設定とＳＩＰサーバ設定とＩＤとパスワードとのいずれの設定項目も設定されているプロファイルは、接続先設定のプロファイルに含まれていない。したがって、無線電源制御部１０３は、無線ＬＡＮ通信を用いた電話機能の使用無しと判断する。
【００２９】
次に、無線電源制御部１０３が行う電源部１８０から無線部１１０への電力供給の制御について説明する。
図６は、無線電源制御部１０３が、電源部１８０から無線部１１０への電力供給を制御する処理手順を示すフローチャートである。携帯端末装置１０の電源が入れられると、無線電源制御部１０３は、電源部１８０から無線部１１０への電力供給を制御する処理を開始する。
ステップＳ１０１において、無線電源制御部１０３は、ＳＩＰアドレス設定とＳＩＰサーバ設定とＩＤとパスワードとのいずれの設定項目も設定されているプロファイルが、接続先設定のプロファイルに含まれているか否かに基づいて、無線ＬＡＮ機能を用いた電話機能の使用の有無を判断する。使用有りと判断した場合（ステップＳ１０１：ＹＥＳ）はステップＳ１０２に進み、使用無しと判断した場合（ステップＳ１０１：ＮＯ）はステップＳ１０４に進む。
ステップＳ１０２において、無線電源制御部１０３は、無線部１１０に電力を供給するように電源部１８０を制御する。ステップＳ１０３において、無線電源制御部１０３は、操作部１３０からのユーザの操作によって携帯端末装置１０の電源が切られたか否かを判断する。電源が切られたと判断した場合（ステップＳ１０３：ＹＥＳ）は、電源部１８０が各部への電力供給を停止し、携帯端末装置１０は、電源部１８０から無線部１１０への電力供給を制御する処理を終了する。電源が切られていないと判断した場合（ステップＳ１０３：ＮＯ）はステップＳ１０１へ戻る。
ステップＳ１０４において、無線電源制御部１０３は、表示部１２０に電力が供給されているか否かを判断する。表示部１２０に電力が供給されていると判断した場合（ステップＳ１０４：ＹＥＳ）はステップＳ１０７に進み、供給されていないと判断した場合（ステップＳ１０４：ＮＯ）はステップＳ１０５に進む。
ステップＳ１０５において、無線電源制御部１０３は、無線部１１０に電力を供給しないように電源部１８０を制御する。ステップＳ１０６において、操作部１３０からのユーザの操作によって携帯端末装置１０の電源が切られたか否かを判断する。電源が切られたと判断した場合（ステップＳ１０６：ＹＥＳ）は、電源部１８０が各部への電力供給を停止し、携帯端末装置１０は、電源部１８０から無線部１１０への電力供給を制御する処理を終了する。電源が切られていないと判断した場合（ステップＳ１０６：ＮＯ）はステップＳ１０１へ戻る。
ステップＳ１０７において、無線電源制御部１０３は、無線部１１０に電力を供給するように電源部１８０を制御する。ステップＳ１０８において、無線電源制御部１０３は、操作部１３０からのユーザの操作によって携帯端末装置１０の電源が切られたか否かを判断する。電源が切られたと判断した場合（ステップＳ１０８：ＹＥＳ）は、電源部１８０が各部への電力供給を停止し、携帯端末装置１０は、電源部１８０から無線部１１０への電力供給を制御する処理を終了する。電源が切られていないと判断した場合（ステップＳ１０３：ＮＯ）はステップＳ１０１へ戻る。
以上により、無線電源制御部１０３は、無線ＬＡＮ通信を用いた電話機能の使用無しと判断し、かつ、表示部１２０に電力が供給されていないと判断した場合は、無線部１１０に電力を供給しないように電源部１８０を制御する。一方、無線ＬＡＮ通信を用いた電話機能の使用有りと判断した場合や、表示部１２０に電力が供給されていると判断した場合は、無線部１１０に電力を供給するように電源部１８０を制御する。
【００３０】
図７は、携帯端末装置１０がアクセスポイント装置２０との通信を行う動作例を示すシーケンスである。
同図は、図５（ｃ）のように、ＳＩＰアドレス設定とＳＩＰサーバ設定とＩＤとパスワードとのいずれの設定項目も設定されているプロファイルが、接続先設定のプロファイルに含まれていない状態において、無線部１１０への電力供給を制御し、無線ＬＡＮ通信を行う動作例を示している。また、同図の例において、アクセスポイント装置２０との通信を行う設定は、プロファイル４に設定されている。また、携帯端末装置１０は電源が入った状態となっている。また、携帯端末装置１０は、同図の例の当初においては、表示部１２０への電力供給が行われていない状態にある。
ここで、たとえば携帯端末装置１０を開く等のユーザ操作に基づいて、表示部１２０に電力供給が行われる。また、ユーザ操作に従ってアプリケーション部１０２がインターネットのホームページの表示など、無線ＬＡＮを使用するアプリケーションを実行し、携帯端末装置１０は、シーケンスＳ２０１〜Ｓ２０３の１回目の発見シーケンスを行う。
シーケンスＳ２０１において、携帯端末装置１０は、プロファイル１に従って発見シーケンスを行い、プローブ要求を送信するが、携帯端末装置１０がプロファイル１に設定されたアクセスポイント装置の圏外にあるため、アクセスポイント装置の発見に失敗する。同様にシーケンスＳ２０２では、携帯端末装置１０は、プロファイル２に従って発見シーケンスを行うが、アクセスポイント装置の発見に失敗する。さらに、シーケンスＳ２０３では、携帯端末装置１０は、プロファイル４に従って発見シーケンスを行うが、アクセスポイント装置２０から遠いためプローブ要求がアクセスポイント装置２０に届かず、アクセスポイント装置２０からの応答がなく、アクセスポイント装置の発見に失敗する。
その後、携帯端末装置１０は、アクセスポイント装置２０に接近してアクセスポイント装置２０のサービス圏内に位置し、シーケンスＳ２０４以降の２回目の発見シーケンスを行う。
シーケンスＳ２０４において、携帯端末装置１０は、プロファイル１に従って発見シーケンスを行うが、シーケンスＳ２０１の場合と同様、アクセスポイント装置の発見に失敗する。同様にシーケンスＳ２０５では、携帯端末装置１０は、プロファイル２に従って発見シーケンスを行うが、アクセスポイント装置の発見に失敗する。一方、シーケンスＳ２０６では、携帯端末装置１０は、プロファイル４に従って発見シーケンスを行ってプローブ要求を送信し、シーケンスＳ２０７において、携帯端末装置１０は、アクセスポイント装置２０からプローブ応答を受信する。そして、シーケンスＳ２０８において携帯端末装置１０は、アクセスポイント装置２０にアクセス要求を送信して認証を受け、シーケンスＳ２０９において、携帯端末装置１０はアクセスポイント装置２０からアクセスを許可するアクセス応答を受信する。これにより、携帯端末装置１０はアクセスポイント装置２０に接続し、通信可能状態となる。
その後、たとえば携帯端末装置１０の筺体を閉じる等のユーザ操作に基づいて、表示部１２０への電力供給が停止されると、シーケンスＳ２１０において、携帯端末装置１０は切断シーケンスを行ってアクセスポイント装置２０に切断要求を送信し、アクセスポイント装置２０が切断処理を完了した後、携帯端末装置１０はアクセスポイント装置２０から切断応答を受信する。その後、携帯端末装置１０は、無線部１１０への電力供給を停止する。
【００３１】
以上のように、携帯端末装置１０では、無線電源制御部１０３が、無線ＬＡＮ通信を用いて電話通信を行うアプリケーションの設定がなされているか否かと、表示部１２０への電力供給の有無とに基づいて、電源部１８０から無線部１１０への電力供給を制御するので、無線ＬＡＮ通信を用いて電話通信を行うアプリケーションを具備していても、実際に無線ＬＡＮ通信を用いた電話通信が行われるか否かを判断して無線ＬＡＮ通信機能（無線部１１０）への電力供給を制御して電力消費を抑制することができる。また、無線ＬＡＮ通信を用いて電話通信を行うための設定がなされているか否かに基づいて、無線ＬＡＮ通信を用いた電話通信が行われるか否かを判断するので、無線部１１０への電力供給を制御するための特別なユーザ設定や特別なユーザ操作を必要としない。また、無線電源制御部１０３は、無線ＬＡＮ通信を用いた電話通信の使用無しと判断した場合に、表示部１２０への電力供給の有無に基づいて無線ＬＡＮ通信の有無を判断して無線部１１０への電力供給を制御するので、適切なタイミングで無線部１１０への電力供給の制御が行われ、省電効果が期待できる。
【００３２】
なお、無線電源制御部１０３が無線ＬＡＮ通信の使用有無を判断する方法は、表示部１２０への電力の供給の有無に基づく方法に限らない。例えば、携帯端末装置１０が開状態にあるとき（第二筺体５２が第一筺体５１に対して開状態にあるとき）は無線ＬＡＮ通信の使用有りと判断し、携帯端末装置１０が閉状態にあるとき（第二筺体５２が第一筺体５１に対して閉状態にあるとき）は前記無線ＬＡＮ通信の使用無しと判断するようにしてもよい。
前述の表示部１２０への電力の供給の有無に基づいて無線ＬＡＮ通信の使用有無を判断する方法では、携帯端末装置１０が開状態のままでも、省電力のために表示部１２０への電力の供給を停止してディスプレイ表示をオフとする場合が考えられる。これに連動して無線ＬＡＮ通信を終了して無線部１１０への電力供給を停止すると、その後すぐに無線ＬＡＮ通信を行うアプリケーションを使用する場合に再度無線ＬＡＮの接続から開始する必要がある。このために、無線ＬＡＮ通信開始までに時間がかかってユーザに違和感を与えるおそれがある。一方、無線部１１０への電力供給を携帯端末装置１０の開閉に連動させる場合、携帯端末装置１０の閉状態では、操作部１３０からのユーザの入力操作は行われず、無線ＬＡＮ通信を行うアプリケーションも使用されないことが期待できるので、ユーザに上述の違和感を与えることを回避できる。
【００３３】
あるいは、無線電源制御部１０３が、無線ＬＡＮ通信を用いるアプリケーションの実行の有無に基づいて無線ＬＡＮ通信の使用有無を判断するようにしてもよい。例えば、無線電源制御部１０３は、アプリケーション部１０２が無線ＬＡＮ通信を用いるアプリケーションであるインターネット・ブラウザを起動するタイミングで無線ＬＡＮ通信の使用有りと判断して、無線部１１０への電力供給を行うように電源部１８０を制御する。そして、無線電源制御部１０３は、アプリケーション部１０２がインターネット・ブラウザを終了するタイミングで無線ＬＡＮ通信の使用無しと判断して、無線部１１０への電力供給を停止するように電源部１８０を制御する。これによって、操作部１３０からの操作入力が無く表示部１２０への電力供給が一時的に停止されている場合でも、アプリケーション部１０２がインターネット・ブラウザを実行中であれば携帯端末装置１０は無線ＬＡＮへの接続を維持するので、別のホームページの参照など、操作部１３０がユーザの操作入力を受け付けた場合に、再度無線ＬＡＮの接続から開始する必要がなく、ユーザに上述の違和感を与えることを回避できる。
【００３４】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００３５】
本発明は、携帯端末装置および携帯端末装置の電力供給制御方法に用いて好適である。
【符号の説明】
【００３６】
１  無線ＬＡＮシステム
１０  携帯端末装置
１１  端末装置
２０  アクセスポイント装置
３０  インターネット
５１  第一筺体
５２  第二筺体
５３  ヒンジ部
１００  制御部
１０１  無線制御部
１０２  アプリケーション部
１０３  無線電源制御部
１０４  表示電源制御部
１１０  無線部
１２０  表示部
１３０  操作部
１４０  音声処理部
１５０  マイク
１６０  スピーカ
１７０  記憶部
１８０  電源部
【図１】
0005391982.tif 000002
【図２】
0005391982.tif 000003
【図３】
0005391982.tif 000004
【図４】
0005391982.tif 000005
【図５】
0005391982.tif 000006
【図６】
0005391982.tif 000007
【図７】
0005391982.tif 000008